(57)【要約】【課題】電力需要者の省エネ意識を向上できる省エネ意識向上システムを提供すること。【解決手段】省エネ意識向上システム１は、電力を使用する複数の電力需要者の月毎の電力使用量を取得する電力使用量取得部１１１と、月毎の電力使用量に基づいて、電力需要者のランキングを生成するランキング生成部１１２と、複数の電力需要者のそれぞれについて、敷地面積および世帯人数を含む世帯情報を取得する世帯情報取得部１１３と、世帯情報およびランキングに基づいて、複数の電力需要者のそれぞれについてポイントを算出するポイント算出部１１４と、ランキング、ポイントおよび商品に係る表示情報を生成する表示情報生成部１１５と、商品とポイントとの交換を受け付ける商品選択受付部１１６と、を有する電力供給者用サーバ１０と、ランキング、ポイントおよび商品に係る表示情報を表示する端末側表示部２５０と、を有する電力需要者用端末２０と、を備える。【選択図】図１
2010218437.tif 000002
【特許請求の範囲】
【請求項１】
電力を使用する複数の世帯のそれぞれについて、月毎の電力使用量を取得する電力使用量取得手段と、
当該取得した月毎の電力使用量に基づいて、前記複数の世帯のランキングを生成するランキング生成手段と、
当該生成したランキングを表示するランキング表示手段と、
前記複数の世帯のそれぞれについて、敷地面積および世帯人数を含む世帯情報を取得する世帯情報取得手段と、
当該取得した世帯情報および前記生成したランキングに基づいて、前記複数の世帯のそれぞれについてポイントを算出するポイント算出手段と、
当該算出したポイントに基づいて、前記複数の世帯のそれぞれに対して商品を表示する商品表示手段と、を備えることを特徴とする省エネ意識向上システム。
【請求項２】
前記商品は児童を対象とした商品であることを特徴とする請求項１記載の省エネ意識向上システム。
【発明の詳細な説明】
【技術分野】
【０００１】
本発明は、省エネ意識向上システムに関する。
【背景技術】
【０００２】
近年、有限である天然資源の有効利用や、地球温暖化といった環境問題対策として、省エネ活動が盛んに行われている。一般家庭では、例えば、以下のような手法で省エネ活動が行われている。すなわち、一般家庭では、毎月の電力料金を家計簿に記載し、この電力料金の変化を把握する。そして、電化製品の電源スイッチのオン・オフの切り換えをこまめに行ったり、節電装置（特許文献１参照）が備えられた電化製品や、タイマーなどが備えられた電化製品（特許文献２参照）を利用したりすることで、省エネに取り組んでいる。
【先行技術文献】
【特許文献】
【０００３】
【特許文献１】特開２０００−２３２７３１号公報
【特許文献２】特開２００５−３２６１３４号公報
【発明の概要】
【発明が解決しようとする課題】
【０００４】
しかしながら、以上の行動は、親が中心となって行われている。一方で、児童は、親に比べて受け身の行動をとり、積極的に省エネ活動に関与していない。児童は、省エネ活動の次世代のリーダーとなっていく存在であるので、児童に省エネ意識を持たせることが重要である。
【０００５】
電力会社は、家庭での省エネ意識を高揚すべく、テレビ放送などの広告において、啓蒙活動を行っている。しかしながら、この方法は、情報の流れが広告媒体から家庭の一方向であるので、効果的とはいえない。
【０００６】
本発明は、電力需要者の省エネ意識を向上できる省エネ意識向上システムを提供することを目的とする。
【課題を解決するための手段】
【０００７】
本発明の省エネ意識向上システムは、電力を使用する複数の世帯のそれぞれについて、月毎の電力使用量を取得する電力使用量取得手段と、当該取得した月毎の電力使用量に基づいて、前記複数の世帯のランキングを生成するランキング生成手段と、当該生成したランキングを表示するランキング表示手段と、前記複数の世帯のそれぞれについて、敷地面積および世帯人数を含む世帯情報を取得する世帯情報取得手段と、当該取得した世帯情報および前記生成したランキングに基づいて、前記複数の世帯のそれぞれについてポイントを算出するポイント算出手段と、当該算出したポイントに基づいて、前記複数の世帯のそれぞれに対して商品を表示する商品表示手段と、を備えることを特徴とする。
【０００８】
この発明によれば、ランキング生成手段により、月毎の電力使用量に基づいて、複数の世帯のランキングを生成し、ランキング表示手段により、生成したランキングを表示する。よって、電力需要者は、ランキングにおいて上位に入るように省エネに努めることとなるので、電力需要者の省エネ意識を向上できる。
【０００９】
また、この発明によれば、ポイント算出手段により、取得した世帯情報および生成したランキングに基づいて、複数の世帯のそれぞれについてポイントを算出し、商品表示手段により算出したポイントに基づいて、複数の世帯のそれぞれに対して商品を表示する。例えば、表示された商品とポイントとの交換が可能であれば、電力需要者は、ポイントを獲得して商品との交換を行おうとする。そして、電力需要者は、ポイントを獲得するために、省エネ活動に対して積極的に取り組むこととなる。よって、電力需要者の省エネ意識をさらに向上できる。
【００１０】
この場合、前記商品は児童を対象とした商品であることが好ましい。
【００１１】
この発明によれば、児童が興味をもつ商品を表示させることにより、児童は、ポイントと商品との関連性を認識しうる。また、例えば、当該商品とポイントとの交換が可能になることにより、児童は、興味をもつ商品を獲得するためにポイントを獲得しようとする。そして、児童は、ポイントを獲得するために、省エネ活動に対して積極的に取り組むこととなる。よって、児童の省エネ意識を向上できる。
【発明の効果】
【００１２】
本発明によれば、電力需要者の省エネ意識を向上できる省エネ意識向上システムを提供することができる。
【図面の簡単な説明】
【００１３】
【図１】本実施形態に係る省エネ意識向上システム１のブロック図である。
【図２】本実施形態に係る電力需要者ＤＢ１２１を示す図である。
【図３】本実施形態に係る電力使用量ＤＢ１２２を示す図である。
【図４】本実施形態に係るランキングＤＢ１２３を示す図である。
【図５】本実施形態に係るポイントＤＢ１２４を示す図である。
【図６】本実施形態に係る商品ＤＢ１２５を示す図である。
【図７】本実施形態に係るポイントの算出時に参照するテーブルの一例を示す図である。
【図８】本実施形態に係る電力供給者用サーバ１０が電力使用量を取得してからポイントを算出するまでの処理の流れを示すフローチャートである。
【図９】本実施形態に係る電力需要者用端末２０の端末側表示部２５０に情報を表示する処理の流れを示すフローチャートである。
【図１０】図９に続くフローチャートである。
【図１１】図１０に続くフローチャートである。
【図１２】図１１に続くフローチャートである。
【発明を実施するための形態】
【００１４】
以下、本発明の実施形態を図面に基づいて説明する。
【００１５】
図１は、本実施形態に係る省エネ意識向上システム１のブロック図である。
省エネ意識向上システム１は、電力需要者の世帯情報や電力使用量に係る情報などを管理する電力供給者用サーバ１０と、電力使用量に係る情報を確認可能な複数の電力需要者用端末２０との間で構成されるシステムである。電力供給者用サーバ１０は、ネットワークＮを介して、複数の電力需要者用端末２０と通信可能である。
【００１６】
［電力供給者用サーバの説明］
電力供給者用サーバ１０は、サーバ側制御部１１０と、サーバ側記憶部１２０と、サーバ側通信部１３０と、サーバ側操作部１４０と、サーバ側表示部１５０と、を有する。
【００１７】
サーバ側記憶部１２０は、ハードディスクや半導体メモリなどにより構成されており、本発明の機能を実行するプログラム（図示省略）や、後述のデータベース（以下、データベースをＤＢという。）などを記憶する。
サーバ側記憶部１２０は、電力需要者ＤＢ１２１と、電力使用量ＤＢ１２２と、ランキングＤＢ１２３と、ポイントＤＢ１２４と、商品ＤＢ１２５と、を有する。
【００１８】
図２は、本実施形態に係る電力需要者ＤＢ１２１を示す図である。電力需要者ＤＢ１２１は、電力需要者に係る情報を記憶する。電力需要者ＤＢ１２１は、図２に示すように、電力需要者のユーザＩＤ１２１Ａと、電力需要者のユーザ名１２１Ｂと、電力需要者のニックネーム１２１Ｃと、電力需要者の家屋の敷地面積１２１Ｄと、電力需要者の世帯人数１２１Ｅと、電力需要者の世帯に含まれる児童数１２１Ｆと、を含んでいる。電力需要者ＤＢ１２１は、電力需要者が電力供給者との電力利用契約の締結を行った際に、電力需要者に係る情報が記憶される。
【００１９】
図３は、本実施形態に係る電力使用量ＤＢ１２２を示す図である。電力使用量ＤＢ１２２は、複数の電力需要者のそれぞれの電力使用量を月毎に記憶する。電力使用量ＤＢ１２２は、図３に示すように、電力需要者のユーザＩＤ１２２Ａと、電力使用量が計測された年月１２２Ｂと、電力使用量１２２Ｃと、を含んでいる。
電力使用量ＤＢ１２２は、毎月、電力供給者により計測された電力使用量が記憶される。すなわち、電力供給者の検針員は、電力需要者の家屋のそれぞれに備えられた電力量計（図示省略）の検針を行うことにより、毎月の電力使用量を測定する。そして、測定された電力使用量は、ネットワークＮを介して接続された入力端末（図示省略）などから検針員などにより入力されることで電力使用量ＤＢ１２２に記憶される。
【００２０】
図４は、本実施形態に係るランキングＤＢ１２３を示す図である。ランキングＤＢ１２３は、複数の電力需要者の電力使用量に基づいて生成されるランキングを記憶する。ランキングＤＢ１２３は、図４に示すように、ランキングを生成した年月１２３Ａと、電力需要者のランキング１２３Ｂと、電力需要者のユーザＩＤ１２３Ｃと、電力需要者のニックネーム１２３Ｄと、ランキングを生成した年月の電力使用量における前年同月比１２３Ｅと、ランキングを生成した年月における電力使用量１２３Ｆと、を含んでいる。
【００２１】
図５は、本実施形態に係るポイントＤＢ１２４を示す図である。ポイントＤＢ１２４は、複数の電力需要者のそれぞれのポイントに係る情報を記憶する。ポイントＤＢ１２４は、図５に示すように、電力需要者のユーザＩＤ１２４Ａと、直近に算出されたポイントを示す当月ポイント１２４Ｂと、複数の電力需要者のそれぞれがこれまでに獲得したポイントであって有効なポイントの累計を示す累計ポイント１２４Ｃと、を含んでいる。
【００２２】
図６は、本実施形態に係る商品ＤＢ１２５を示す図である。商品ＤＢ１２５は、ポイントと交換可能な商品の情報を記憶する。商品ＤＢ１２５は、商品名１２５Ａと、商品との交換に必要とされるポイント１２５Ｂと、を含んでいる。
【００２３】
ここで、商品名１２５Ａに記憶される商品は、主に児童向けの商品である。すなわち、省エネ活動において、大人より受け身になりがちである児童が関心を持つ商品をポイントと交換可能とする。このようにすることで、児童は、ポイントを獲得することに興味をもつこととなる。そして、児童は、ポイントを獲得するため積極的に省エネ運動に参加することとなる。よって、児童の省エネ意識を向上できる。
【００２４】
図１に戻り、サーバ側制御部１１０は、ＣＰＵ（Ｃｅｎｔｒａｌ  Ｐｒｏｃｅｓｓｉｎｇ  Ｕｎｉｔ）などにより構成されており、電力供給者用サーバ１０に係る各処理動作の制御や情報の通信制御を行う。
サーバ側制御部１１０は、本発明に係る各機能として、電力使用量取得手段としての電力使用量取得部１１１と、ランキング生成手段としてのランキング生成部１１２と、世帯情報取得手段としての世帯情報取得部１１３と、ポイント算出手段としてのポイント算出部１１４と、表示情報生成部１１５と、商品選択受付部１１６と、を有する。
【００２５】
なお、本実施形態においては、サーバ側制御部１１０の構成として、ＣＰＵを例示しているが、かかる構成はＣＰＵに限定されない。
【００２６】
電力使用量取得部１１１は、電力使用量ＤＢ１２２を参照して、電力を使用する複数の世帯、すなわち、複数の電力需要者の月毎の電力使用量を取得する。
【００２７】
ランキング生成部１１２は、電力使用量取得部１１１により取得した月毎の電力使用量に基づいて、電力需要者のランキングを生成する。具体的には、ランキング生成部１１２は、複数の電力需要者のそれぞれの電力使用量について、直近に計測された電力使用量の前年同月比を算出する。そして、ランキング生成部１１２は、算出した前年同月比について、前年同月比が低い順に電力需要者のランキングを生成する。ランキング生成部１１２は、生成したランキングをランキングＤＢ１２３に記憶させる。
【００２８】
なお、ランキング生成部１１２は、算出した前年同月比について、前年同月比が低い順に電力需要者のランキングを生成することとしたが、これに限らない。例えば、複数の電力需要者のそれぞれの電力使用量の前月比を算出し、算出した前月比に基づいてランキングを生成することとしてもよい。
【００２９】
世帯情報取得部１１３は、電力需要者ＤＢ１２１を参照して、複数の世帯としての複数の電力需要者のそれぞれについて、敷地面積および世帯人数を含む世帯情報を取得する。
【００３０】
ポイント算出部１１４は、世帯情報取得部１１３により取得された世帯情報およびランキング生成部１１２により生成したランキングに基づいて、複数の電力需要者のそれぞれについてポイントを算出する。
【００３１】
具体的には、ポイント算出部１１４は、ランキング生成部１１２により生成されてランキングＤＢ１２３に記憶されたランキングに基づいて、複数の電力需要者のそれぞれについてポイントを算出する。
図７は、ポイント算出時に参照するテーブルの一例である。具体的には、図７（ａ）は、電力需要者のランキングに応じて付与される基本ポイントを規定するテーブルである。図７（ｂ）は、電力需要者の世帯人数に応じて基本ポイントに乗算される係数を規定するテーブルである。図７（ｃ）は、電力需要者の家屋の敷地面積に応じて基本ポイントに乗算される係数を規定するテーブルである。
例えば、ランキングが５０位、世帯人数が４人および敷地面積が８０平方メートルである電力需要者のポイントは、以下のように算出される。すなわち、図７のテーブルを参照すると、ランキングが５０位の場合の基本ポイントは、１２０ポイントである。世帯人数が４人の場合の係数１は、１．４である。敷地面積が８０平方メートルの場合の係数２は、１．２である。よって、ポイント算出部１１４は、当該電力需要者のポイントとして、それぞれの数値を乗算して得られたポイントである２０１ポイントを算出する。そして、ポイント算出部１１４は、算出したポイントを当月ポイントするとともに、累計ポイントに算出したポイントを加算したポイントとして、ポイントＤＢ１２４に記憶されている情報を更新する。
【００３２】
本実施形態では、図７（ａ）に示すように、電力需要者のランキングに応じて付与される基本ポイントを順位に基づいて細かく分類している。すなわち、電力需要者それぞれに対して、順位に応じて変化するポイントを付与することにより、電力需要者の省エネ活動の努力の結果をポイントという成果に直接つなげることができる。
【００３３】
なお、本実施形態では、世帯数や敷地面積などの電力需要者に係る情報に大幅な変更があった場合には、当該変更の内容もポイント算出に考慮することとしてよい。すなわち、電力需要者ＤＢ１２１に、情報取得年といった項目を設けて、電力需要者に係る情報を取得した年を記憶できるようにしてもよい。例えば、計測した時点の世帯人数が２人で、前年の世帯人数が３人である場合、前年に比べて世帯人数が減少することから、電力使用量の前年同月比を容易に減少できると予想できる。この場合のポイント算出において、基本ポイントに係数１．２を除算してポイントを通常時に比べて低めに算出することとしてもよい。これにより、世帯人数や敷地面積などの電力需要者に係る情報に大幅な変更があった場合でも、適切にポイントを算出することができる。
【００３４】
表示情報生成部１１５は、電力供給者用サーバ１０が電力需要者用端末２０によりアクセスされたことに応じて、ランキングＤＢ１２３、ポイントＤＢ１２４および商品ＤＢ１２５を参照して、ランキング、ポイントおよび商品に係る表示情報を生成する。そして、表示情報生成部１１５は、生成した表示情報を、アクセスした電力需要者用端末２０に対してサーバ側通信部１３０を介して送信する。
ここで、表示情報生成部１１５は、電力需要者用端末２０によりアクセスされたことに応じて、ログイン受付情報を送信して電力需要者用端末２０に、ユーザＩＤおよびパスワードの入力を受け付けさせる。そして、表示情報生成部１１５は、電力需要者用端末２０がユーザＩＤおよびパスワードの入力を受け付けたことに応じて、ログイン情報の認証を行う。
【００３５】
なお、ランキングに係る表示情報は、複数の電力需要者により確認される。このため、個人情報保護の観点から、ランキングにはユーザ名を含まずに、ニックネームなどの匿名性のある情報を表示させることとしてもよい。
【００３６】
商品選択受付部１１６は、電力需要者用端末２０の端末側表示部２５０に対して商品交換に係る表示情報が表示され、端末側操作部２４０により商品が選択された場合に、選択された商品とポイントとの交換を受け付ける。商品とポイントとの交換情報は、電力供給者における発送担当者に通知される。発送担当者は、交換情報が通知されると、商品を電力需要者に発送する。
【００３７】
サーバ側通信部１３０は、モデム、ケーブル・モデムおよびイーサネット（登録商標）・アダプタなどにより構成されており、ネットワークＮを介して複数の電力需要者用端末２０などとの通信を可能とする。サーバ側通信部１３０は、例えば、ネットワークＮがインターネットである場合には、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などのプロトコルを利用した通信を行う機能を備えている。特に、サーバ側通信部１３０は、ネットワークＮを介して電力需要者用端末２０とのランキング、ポイントおよび商品に係る情報の送受信を行う。
【００３８】
サーバ側操作部１４０は、キーボードおよびマウスを含んで構成されており、電力供給者用サーバ１０に対する操作者からの入力操作を受け付ける。
【００３９】
サーバ側表示部１５０は、液晶表示装置（ＬＣＤ：Ｌｉｑｕｉｄ  Ｃｒｙｓｔａｌ  Ｄｉｓｐｌａｙ）またはブラウン管表示装置（ＣＲＴ：Ｃａｔｈｏｄｅ  Ｒａｙ  Ｔｕｂｅ）などのディスプレイ装置により構成されており、電力供給者用サーバ１０の機能に係る情報を表示する。
【００４０】
［電力需要者用端末の説明］
電力需要者用端末２０は、端末側制御部２１０（図示省略）と、端末側記憶部２２０（図示省略）と、端末側通信部２３０（図示省略）と、端末側操作部２４０と、ランキング表示手段および商品表示手段としての端末側表示部２５０と、を有する。
【００４１】
端末側制御部２１０は、ＣＰＵなどにより構成されており、電力需要者用端末２０内の各処理動作や情報の通信を制御する。具体的には、電力供給者用サーバ１０から出力された各種情報などの取得や、端末側操作部２４０により受け付けられた入力情報の出力などを制御する。
【００４２】
なお、本実施形態においては、端末側制御部２１０の構成として、ＣＰＵを例示しているが、かかる構成はＣＰＵに限定されない。
【００４３】
端末側記憶部２２０は、ハードディスクや半導体メモリなどにより構成されており、端末側記憶部２２０は、端末側制御部２１０の作業領域として利用される他、電力供給者用サーバ１０から出力された各種情報を記憶し、各種プログラムを記憶することができる。
【００４４】
端末側通信部２３０は、モデム、ケーブル・モデムおよびイーサネット（登録商標）・アダプタなどにより構成されており、ネットワークＮを介して電力供給者用サーバ１０との通信を可能とする。端末側通信部２３０は、例えば、ネットワークＮがインターネットである場合には、ＴＣＰ／ＩＰなどのプロトコルを利用した通信を行う機能を備えている。特に、端末側通信部２３０は、ネットワークＮを介して電力供給者用サーバ１０とのランキング、ポイントおよび商品に係る情報の送受信を行う。
【００４５】
端末側操作部２４０は、電力需要者用端末２０に対する操作者からの入力を受け付けるものであり、キーボードおよびマウスを含んで構成されている。端末側操作部２４０は、例えば、ランキング、ポイントおよび商品の表示操作や、ポイントと商品との交換操作に関する入力などが可能である。
【００４６】
端末側表示部２５０は、モニタ装置やスピーカなどを含んでおり、特に、電力供給者用サーバ１０から送信されたランキング、ポイントおよび商品に係る表示情報を表示する。
【００４７】
［処理フロー］
図８は、本実施形態に係る電力供給者用サーバ１０が電力使用量を取得してからポイントを算出するまでの処理の流れを示すフローチャートである。
【００４８】
ステップＳ１では、サーバ側制御部１１０（電力使用量取得部１１１）は、電力使用量ＤＢ１２２を参照して、電力を使用する複数の世帯、すなわち、複数の電力需要者の月毎の電力使用量を取得する。ステップＳ２では、サーバ側制御部１１０（ランキング生成部１１２）は、電力使用量取得部１１１により取得した月毎の電力使用量に基づいて、電力需要者のランキングを生成する。
【００４９】
ステップＳ３では、サーバ側制御部１１０（世帯情報取得部１１３）は、電力需要者ＤＢ１２１を参照して、複数の世帯としての複数の電力需要者のそれぞれについて、敷地面積および世帯人数を含む世帯情報を取得する。ステップＳ４では、サーバ側制御部１１０（ポイント算出部１１４）は、ランキング生成部１１２により生成されてランキングＤＢ１２３に記憶されたランキングに基づいて、複数の電力需要者のそれぞれについてポイントを算出する。
【００５０】
図９から図１２は、本実施形態に係る電力需要者用端末２０の端末側表示部２５０に情報を表示する処理の流れを示すフローチャートである。なお、端末側表示部２５０への情報の表示は、ブラウザなどにより行われる。端末側表示部２５０への情報の表示は、電力需要者用端末２０の操作者が端末側操作部２４０を操作することにより、任意のタイミングで終了可能である。
【００５１】
ステップＳ１１では、端末側制御部２１０は、端末側通信部２３０を介して、表示情報の取得要求情報を電力供給者用サーバ１０に送信する。ステップＳ１２では、サーバ側制御部１１０（表示情報生成部１１５）は、サーバ側通信部１３０を介して取得要求情報を受信する。
【００５２】
ステップＳ１３では、サーバ側制御部１１０（表示情報生成部１１５）は、サーバ側通信部１３０を介して、ログイン受付情報を電力需要者用端末２０に送信する。ステップＳ１４では、端末側制御部２１０は、端末側通信部２３０を介してログイン受付情報を受信する。
【００５３】
ステップＳ１５では、端末側制御部２１０は、電力需要者用端末２０の操作者によるログインの入力を受け付ける。ログインの入力では、電力需要者のユーザＩＤとパスワードとを受け付ける。ステップＳ１６では、端末側制御部２１０は、電力需要者用端末２０の操作者によるログインの入力が受け付けられたことに応じて、端末側通信部２３０を介して、ログイン情報を電力供給者用サーバ１０に送信する。ステップＳ１７では、サーバ側制御部１１０（表示情報生成部１１５）は、サーバ側通信部１３０を介してログイン情報を受信する。
【００５４】
ステップＳ１８では、サーバ側制御部１１０（表示情報生成部１１５）は、ログイン情報の認証を行う。ステップＳ１９では、サーバ側制御部１１０（表示情報生成部１１５）は、ステップＳ１８における認証が成功したこと又はメニュー表示要求情報を受信したことに応じて、サーバ側通信部１３０を介して、メニューを電力需要者用端末２０に送信する。ここで、メニューとは、いわゆるホームページにおけるトップページなどであり、ランキング情報、ポイント情報および商品情報への遷移が可能である。電力需要者用端末２０の操作者は、メニューから、ランキング情報の表示、ポイント情報の表示、および商品情報の表示を選択できる。
【００５５】
ステップＳ２０では、端末側制御部２１０は、端末側通信部２３０を介してメニューを受信する。ステップＳ２１では、端末側制御部２１０は、端末側表示部２５０にメニューを表示させる。
【００５６】
図１０に移り、ステップＳ２２では、端末側制御部２１０は、電力需要者用端末２０の操作者によりランキング表示が選択されたか否かを判定する。この判定がＹＥＳである場合には、ステップＳ２３に移り、ＮＯである場合には、図１１のステップＳ３１に移る。
【００５７】
ステップＳ２３では、端末側制御部２１０は、端末側通信部２３０を介して、ランキング表示要求情報を電力供給者用サーバ１０に送信する。ステップＳ２４では、サーバ側制御部１１０（表示情報生成部１１５）は、サーバ側通信部１３０を介してランキング表示要求情報を受信する。
【００５８】
ステップＳ２５では、サーバ側制御部１１０（表示情報生成部１１５）は、ランキング情報を生成して、サーバ側通信部１３０を介して、当該ランキング情報を電力需要者用端末２０に送信する。ステップＳ２６では、端末側制御部２１０は、端末側通信部２３０を介してランキング情報を受信する。ステップＳ２７では、端末側制御部２１０は、端末側表示部２５０にランキング情報を表示させる。
【００５９】
ステップＳ２８では、端末側制御部２１０は、電力需要者用端末２０の操作者によりメニュー表示が選択されたか否かを判定する。この判定がＹＥＳである場合には、ステップＳ２９に移り、ＮＯである場合には、ステップＳ２８を再び実行する。
【００６０】
ステップＳ２９では、端末側制御部２１０は、端末側通信部２３０を介して、メニュー表示要求情報を電力供給者用サーバ１０に送信する。ステップＳ３０では、サーバ側制御部１１０（表示情報生成部１１５）は、サーバ側通信部１３０を介してメニュー表示要求情報を受信する。この処理が終了すると、図９のステップＳ１９に移る。
【００６１】
図１１に移り、ステップＳ３１では、端末側制御部２１０は、電力需要者用端末２０の操作者によりポイント表示が選択されたか否かを判定する。この判定がＹＥＳである場合には、ステップＳ３２に移り、ＮＯである場合には、図１２のステップＳ４０に移る。
【００６２】
ステップＳ３２では、端末側制御部２１０は、端末側通信部２３０を介して、ポイント表示要求情報を電力供給者用サーバ１０に送信する。ステップＳ３３では、サーバ側制御部１１０（表示情報生成部１１５）は、サーバ側通信部１３０を介してポイント表示要求情報を受信する。
【００６３】
ステップＳ３４では、サーバ側制御部１１０（表示情報生成部１１５）は、ポイント情報を生成して、サーバ側通信部１３０を介して、当該ポイント情報を電力需要者用端末２０に送信する。ステップＳ３５では、端末側制御部２１０は、端末側通信部２３０を介してポイント情報を受信する。ステップＳ３６では、端末側制御部２１０は、端末側表示部２５０にポイント情報を表示させる。
【００６４】
ステップＳ３７では、端末側制御部２１０は、電力需要者用端末２０の操作者によりメニュー表示が選択されたか否かを判定する。この判定がＹＥＳである場合には、ステップＳ３８に移り、ＮＯである場合には、ステップＳ３７を再び実行する。
【００６５】
ステップＳ３８では、端末側制御部２１０は、端末側通信部２３０を介して、メニュー表示要求情報を電力供給者用サーバ１０に送信する。ステップＳ３０では、サーバ側制御部１１０（表示情報生成部１１５）は、サーバ側通信部１３０を介してメニュー表示要求情報を受信する。この処理が終了すると、図９のステップＳ１９に移る。
【００６６】
図１２に移り、ステップＳ４０では、端末側制御部２１０は、電力需要者用端末２０の操作者により商品表示が選択されたか否かを判定する。この判定がＹＥＳである場合には、ステップＳ４１に移り、ＮＯである場合には、図１０のステップＳ２２に移る。
【００６７】
ステップＳ４１では、端末側制御部２１０は、端末側通信部２３０を介して、商品表示要求情報を電力供給者用サーバ１０に送信する。ステップＳ４２では、サーバ側制御部１１０（表示情報生成部１１５）は、サーバ側通信部１３０を介して商品表示要求情報を受信する。
【００６８】
ステップＳ４３では、サーバ側制御部１１０（表示情報生成部１１５）は、商品情報を生成して、サーバ側通信部１３０を介して、当該商品情報を電力需要者用端末２０に送信する。ステップＳ４４では、端末側制御部２１０は、端末側通信部２３０を介して商品情報を受信する。ステップＳ４５では、端末側制御部２１０は、端末側表示部２５０に商品情報を表示させる。ここで、商品情報には、商品情報と、商品の交換に必要なポイント数量とが含まれる。そして、電力需要者用端末２０の操作者は、商品とポイントとの交換操作が可能となる。
【００６９】
ステップＳ４６では、端末側制御部２１０は、電力需要者用端末２０の操作者により商品とポイントとの交換操作が行われたか否かを判定する。この判定がＹＥＳである場合には、ステップＳ４７に移り、ＮＯである場合には、ステップＳ５０に移る。
【００７０】
ステップＳ４７では、端末側制御部２１０は、端末側通信部２３０を介して、商品交換情報を電力供給者用サーバ１０に送信する。商品交換情報には、ユーザＩＤおよび商品名が含まれる。ステップＳ４８では、サーバ側制御部１１０（商品選択受付部１１６）は、サーバ側通信部１３０を介して商品交換情報を受信する。
【００７１】
ステップＳ４９では、サーバ側制御部１１０（商品選択受付部１１６）は、ステップＳ４８で受信した商品交換情報に基づいて、ポイントＤＢ１２４を更新する。すなわち、サーバ側制御部１１０（商品選択受付部１１６）は、ポイントＤＢ１２４について、商品交換情報に含まれるユーザＩＤの累計ポイントを、当該累計ポイントから商品に応じたポイントを減算して得られたポイントに更新する。この処理が終了すると、図９のステップＳ１９に移る。
【００７２】
ステップＳ５０では、端末側制御部２１０は、電力需要者用端末２０の操作者によりメニュー表示が選択されたか否かを判定する。この判定がＹＥＳである場合には、ステップＳ５１に移り、ＮＯである場合には、ステップＳ４６に移る。
【００７３】
ステップＳ５１では、端末側制御部２１０は、端末側通信部２３０を介して、メニュー表示要求情報を電力供給者用サーバ１０に送信する。ステップＳ５２では、サーバ側制御部１１０（表示情報生成部１１５）は、サーバ側通信部１３０を介してメニュー表示要求情報を受信する。この処理が終了すると、図９のステップＳ１９に移る。
【００７４】
本実施形態によれば、以下のような効果がある。
（１）ランキング生成部１１２により、月毎の電力使用量に基づいて、複数の世帯、すなわち、複数の電力需要者のランキングを生成し、端末側表示部２５０により、生成したランキングを表示する。よって、電力需要者は、ランキングにおいて上位に入るように省エネに努めることとなるので、電力需要者の省エネ意識を向上できる。
【００７５】
また、表示情報生成部１１５により、算出したポイントに基づいて、複数の世帯、すなわち、複数の電力需要者のそれぞれに対して商品を表示し、商品選択受付部１１６により、ポイントと商品との交換を受け付ける。このようにすることで、電力需要者は、ポイントを獲得して商品との交換を行おうとする。そして、電力需要者は、ポイントを獲得するために、省エネ活動に対して積極的に取り組むこととなる。よって、電力需要者の省エネ意識をさらに向上できる。
【００７６】
（２）商品ＤＢ１２５には、児童が興味をもつ商品が記憶され、端末側表示部２５０により、児童が興味をもつ商品が表示される。このため、児童は、ポイントと商品との関連性を認識しうる。また、児童が興味をもつ商品とポイントとの交換が可能になることにより、児童は、興味をもつ商品を獲得するためにポイントを獲得しようとする。そして、児童は、ポイントを獲得するために、省エネ活動に対して積極的に取り組むこととなる。よって、児童の省エネ意識を向上できる。
【００７７】
以上、本発明の実施形態について説明したが、本発明は本実施形態に限定されるものではなく、本発明の目的を達成できる範囲での変形、改良などは本発明に含まれるものである。
【符号の説明】
【００７８】
１  省エネ意識向上システム
１０  電力供給者用サーバ
２０  電力需要者用端末
１１０  サーバ側制御部
１１１  電力使用量取得部
１１２  ランキング生成部
１１３  世帯情報取得部
１１４  ポイント情報算出部
１１５  表示情報生成部
１１６  商品選択受付部
１２０  サーバ側記憶部
１２１  電力需要者ＤＢ
１２２  電力使用量ＤＢ
１２３  ランキングＤＢ
１２４  ポイントＤＢ
１２５  商品ＤＢ
１３０  サーバ側通信部
１４０  サーバ側操作部
１５０  サーバ側表示部
２１０  端末側制御部
２２０  端末側記憶部
２３０  端末側通信部
２４０  端末側操作部
２５０  端末側表示部
Ｎ  ネットワーク
【図１】
2010218437.tif 000003
【図２】
2010218437.tif 000004
【図３】
2010218437.tif 000005
【図４】
2010218437.tif 000006
【図５】
2010218437.tif 000007
【図６】
2010218437.tif 000008
【図７】
2010218437.tif 000009
【図８】
2010218437.tif 000010
【図９】
2010218437.tif 000011
【図１０】
2010218437.tif 000012
【図１１】
2010218437.tif 000013
【図１２】
2010218437.tif 000014